(57)【要約】【課題】ＩＤカードにおいて表示部に表示される情報を容易に変更できるようにする。【解決手段】カード本体２と、本体２に内蔵され、ＩＤ認証情報を記憶する保護領域および書き換え可能な開放領域を有するメモリ６と、本体２に設けられ、開放領域に記憶された情報を表示する表示手段３とからＩＤカード１を構成する。【選択図】図２
2008217286.tif 000002
【特許請求の範囲】
【請求項１】
カード本体と、
該本体に内蔵され、ＩＤ認証情報を記憶する保護領域および書き換え可能な開放領域を有するメモリと、
前記本体に設けられ、前記開放領域に記憶された情報を表示する表示手段とを備えたことを特徴とするＩＤカード。
【請求項２】
前記本体のカードホルダへの装着時に前記表示手段をオンとし、非装着時に該表示手段をオフとするスイッチ手段をさらに備えたことを特徴とする請求項１記載のＩＤカード。
【請求項３】
前記本体の上下左右の向きを検出する検出手段をさらに備え、
前記表示手段は、前記検出手段の検出結果に応じて、表示される前記情報の向きと前記本体の向きとを一致させる手段であることを特徴とする請求項１または２記載のＩＤカード。
【請求項４】
前記開放領域に複数の情報が記憶されている場合、前記表示手段に表示する情報を切り替える切替手段をさらに備えたことを特徴とする請求項１または２項記載のＩＤカード。
【請求項５】
前記開放領域に複数の情報が記憶されている場合、前記検出手段により検出される前記本体の向きに応じて、前記表示手段に表示する情報を切り替える切替手段をさらに備えたことを特徴とする請求項３項記載のＩＤカード。
【請求項６】
請求項１から５のいずれか１項記載のＩＤカードの前記メモリに対して情報の読み書きを行う情報読み書き手段と、
前記メモリの保護領域から読み出された前記ＩＤ認証情報を用いて前記ＩＤカードの所持者の認証を行う認証手段と、
前記所持者を撮影して該所持者の画像を取得する撮影手段と、
前記画像を前記情報読み書き手段から前記メモリの開放領域に記憶する記憶制御手段とを備えたことを特徴とする認証装置。
【請求項７】
前記記憶制御手段は、前記メモリの開放領域に前記所持者の画像が記憶されている状態において前記認証手段による認証がなされると、前記開放領域から前記所持者の画像を削除する手段であることを特徴とする請求項６記載の認証装置。
【請求項８】
前記記憶制御手段は、さらに所定の画像を前記開放領域に記憶する手段であることを特徴とする請求項７記載の認証装置。
【請求項９】
前記所持者の画像を加工する加工手段をさらに備え、
前記記憶制御手段は、加工された前記所持者の画像を前記メモリの開放領域に記憶する手段であることを特徴とする請求項６から８のいずれか１項記載の認証装置。
【請求項１０】
請求項１から５のいずれか１項記載のＩＤカードの前記メモリの保護領域から読み出された前記ＩＤ認証情報を用いて前記ＩＤカードの所持者の認証を行い、
前記所持者を撮影して該所持者の画像を取得し、
前記画像を前記情報読み書き手段から前記メモリの開放領域に記憶することを特徴とする認証方法。
【請求項１１】
請求項１から５のいずれか１項記載のＩＤカードの前記メモリの保護領域から読み出された前記ＩＤ認証情報を用いて前記ＩＤカードの所持者の認証を行う手順と、
前記所持者を撮影して該所持者の画像を取得する手順と、
前記画像を前記情報読み書き手段から前記メモリの開放領域に記憶する手順とを有することを特徴とする認証方法をコンピュータに実行させるためのプログラム。
【発明の詳細な説明】
【技術分野】
【０００１】
本発明は、社員証、学生証および免許証等のＩＤカード、ＩＤカードの所持者の認証を行う認証装置および方法、並びに認証方法をコンピュータに実行させるためのプログラムに関するものである。
【背景技術】
【０００２】
顔写真付きのＩＤカードとしては、学生証，社員証，運転免許証等が知られている。このようなＩＤカードには、ＩＤカードの所持者を認証するためのＩＤ認証情報を記憶したＩＣチップ等のメモリが埋め込まれており、認証情報とＩＤカードに付与された顔写真とを用いてカード所持者の認証を行っている。
【０００３】
このようなＩＤカードにおいて、電子ペーパや液晶等の表示部を設け、メモリに認証情報とともに画像を記憶しておいて、表示部にメモリに記憶された画像を表示するようにしたものが提案されている（特許文献１参照）。特許文献１に記載のＩＤカードによれば、認証情報により認証が行われた場合にのみしか、メモリに記憶された画像を書き換えることができないため、権限のある者以外の者により顔写真が勝手に変更されてしまうことを防止することができる。
【特許文献１】特開２００５−２８４６７７号公報
【発明の開示】
【発明が解決しようとする課題】
【０００４】
しかしながら、特許文献１に記載されたＩＤカードにおいては、権限のある者以外の者は顔写真を変更することができない。その一方で、ＩＣチップ等のメモリは偽造が困難であることから、ＩＤカードにおいては顔写真がなくてもセキュリティは高いものとなっている。
【０００５】
本発明は、上記事情に鑑みなされたものであり、ＩＤカードにおいて表示部に表示される情報を容易に変更できるようにすることを目的とする。
【課題を解決するための手段】
【０００６】
本発明によるＩＤカードは、カード本体と、
該本体に内蔵され、ＩＤ認証情報を記憶する保護領域および書き換え可能な開放領域を有するメモリと、
前記本体に設けられ、前記開放領域に記憶された情報を表示する表示手段とを備えたことを特徴とするものである。
【０００７】
なお、本発明によるＩＤカードにおいては、前記本体のカードホルダへの装着時に前記表示手段をオンとし、非装着時に該表示手段をオフとするスイッチ手段をさらに備えることが好ましい。
【０００８】
また、本発明によるＩＤカードにおいては、前記本体の上下左右の向きを検出する検出手段をさらに備えるものとし、
前記表示手段を、前記検出手段の検出結果に応じて、表示される前記情報の向きと前記本体の向きとを一致させる手段としてもよい。
【０００９】
また、本発明によるＩＤカードにおいては、前記開放領域に複数の情報が記憶されている場合、前記表示手段に表示する情報を切り替える切替手段をさらに備えるものとしてもよい。
【００１０】
また、本発明によるＩＤカードにおいては、前記開放領域に複数の情報が記憶されている場合、前記検出手段により検出される前記本体の向きに応じて、前記表示手段に表示する情報を切り替える切替手段をさらに備えるものとしてもよい。
【００１１】
本発明による認証装置は、本発明のＩＤカードの前記メモリに対して情報の読み書きを行う情報読み書き手段と、
前記メモリの保護領域から読み出された前記ＩＤ認証情報を用いて前記ＩＤカードの所持者の認証を行う認証手段と、
前記所持者を撮影して該所持者の画像を取得する撮影手段と、
前記画像を前記情報読み書き手段から前記メモリの開放領域に記憶する記憶制御手段とを備えたことを特徴とするものである。
【００１２】
なお、本発明による認証装置においては、前記記憶制御手段を、前記メモリの開放領域に前記所持者の画像が記憶されている状態において前記認証手段による認証がなされると、前記開放領域から前記所持者の画像を削除する手段としてもよい。
【００１３】
また、本発明による認証装置においては、前記記憶制御手段を、さらに所定の画像を前記開放領域に記憶する手段としてもよい。
【００１４】
また、本発明による認証装置においては、前記所持者の画像を加工する加工手段をさらに備えるものとし、
前記記憶制御手段を、加工された前記所持者の画像を前記メモリの開放領域に記憶する手段としてもよい。
【００１５】
本発明による認証方法は、本発明のＩＤカードの前記メモリの保護領域から読み出された前記ＩＤ認証情報を用いて前記ＩＤカードの所持者の認証を行い、
前記所持者を撮影して該所持者の画像を取得し、
前記画像を前記情報読み書き手段から前記メモリの開放領域に記憶することを特徴とするものである。
【００１６】
なお、本発明による認証方法をコンピュータに実行させるためのプログラムとして提供してもよい。
【発明の効果】
【００１７】
本発明のＩＤカードによれば、メモリがＩＤ認証情報を記憶する保護領域および書き換え可能な開放領域を有するため、開放領域に自由に情報を書き込んだり削除したりすることができる。したがって、開放領域に所望とする情報を書き込むことにより、表示手段に、ＩＤカードの所持者の顔写真の画像のみならず、テキスト、顔写真を加工した画像等の所望とする情報を表示することができ、その結果、ＩＤカードを認証のための手段のみならず、コミュニケーションの手段としても用いることができる。
【００１８】
また、本体のカードホルダへ装着時に表示手段をオンとし、非装着時に表示手段をオフとするスイッチ手段を設けることにより、本発明によるＩＤカードをカードホルダから取り出せば、必要でない時に表示手段に情報が表示されることを防止することができる。
【００１９】
また、本体の上下左右の向きを検出し、検出結果に応じて表示される情報の向きと本体の向きとを一致させることにより、ＩＤカード使用時において情報を見やすくすることができる。
【００２０】
また、開放領域に複数の情報を記憶し、表示手段に表示する情報を切り替えるようにすることにより、表示する情報を種々変更することができる。
【００２１】
また、本体の上下左右の向きを検出するに際して、開放領域に複数の情報を記憶し、本体の向きに応じて表示手段に表示する情報を切り替えるようにすることにより、情報の表示の切り替えを容易に行うことができる。
【００２２】
本発明の認証装置および方法によれば、本発明のＩＤカードの所持者の画像を撮影し、ＩＤカードのメモリの開放領域に撮影により取得した画像を記憶するようにしたため、常に所持者の最新の画像をＩＤカードに表示することができる。
【００２３】
また、メモリの開放領域に所持者の画像が記憶されている状態において認証がなされると、開放領域から所持者の画像を削除することにより、不要な場合にＩＤカードに所持者の画像が表示されることを防止することができる。
【００２４】
また、所定の画像を開放領域に記憶することにより、所持者の顔画像以外の画像をＩＤカードに表示することができる。
【００２５】
また、ＩＤ認証情報および／または現在の日時に基づいて所持者の画像を加工し、加工された所持者の画像をメモリの開放領域に記憶することにより、ＩＤカードに表示される所持者の画像に遊びの要素を付加することができる。
【発明を実施するための最良の形態】
【００２６】
以下、図面を参照して本発明の実施形態について説明する。図１は本発明の第１の実施形態によるＩＤカードの外部構成を示す平面図、図２は内部構成を示す平面図である。図１，２に示すように、本発明の第１の実施形態によるＩＤカード１は、例として社員証として用いられるものであり、本体２の表面に表示部３と、ＩＤカードの電源となる太陽電池４とを備える。また、本体の内部には、太陽電池４が発生した電気を蓄電する二次電池５と、メモリ６と、後述する認証装置と非接触にて通信を行うためのアンテナ７と、表示部３の表示を制御する表示制御部８と、ＩＤカード全体の制御を行う全体制御部９とを備える。
【００２７】
本体２は容易に変形しないような樹脂等からなる。
【００２８】
表示部３は、例えば液晶および電子ペーパ等からなり、後述するようにメモリ６に記憶された画像およびテキスト等の情報を表示する。
【００２９】
太陽電池４は、情報の表示等、ＩＤカード１の駆動に必要な電源となる。なお、太陽電池４が発生する電力は二次電池５に蓄電されるため、太陽電池４に光が照射されない状況でもＩＤカード１を駆動することができる。なお、太陽電池４を備えることなく、二次電池５のみを設けるようにしてもよい。この場合、二次電池５は入れ替え可能に本体２内に設けることが好ましい。
【００３０】
メモリ６は図３に示すように保護領域６Ａと開放領域６Ｂとに記憶領域が分けられている。保護領域６Ａには、ＩＤカード１の所持者の認証に必要なＩＤ認証情報が記憶されている。保護領域６Ａには、権限のある者（例えばＩＤカード１の発行者）のみがアクセス可能とされており、ＩＤカード１の所持者であっても記憶されているＩＤ認証情報を書き換えることはできない。開放領域６ＢはＩＤカード１の所持者が自由に情報の書き込みおよび削除を行うことが可能な領域である。
【００３１】
アンテナ７は、ＩＤカード１が認証装置と通信して、非接触にて情報のやりとりを行うためのものであり、これにより、後述するようにメモリ６へ書き込む情報を取得したり、情報の削除の指示を受けたりすることができる。
【００３２】
表示制御部８は、メモリ６の開放領域６Ｂから情報を読み出して、表示部３へ表示するための処理を行う。
【００３３】
全体制御部９は、情報のメモリ６への書き込みおよび削除等、ＩＤカード１の全体の駆動を制御する。
【００３４】
図４は本実施形態による認証装置を用いた認証システムの概略図である。図４に示すように本実施形態による認証装置２０は、セキュリティが必要な制限区域の出入口に設置されるものであり、本体２１にカメラ２２、表示部２３、および非接触通信部２４が設けられており、ホストサーバ３０と接続されている。
【００３５】
カメラ２２はデジタルカメラであり、ＩＤカード１の所持者の認証時に所持者の顔を撮影して顔の画像を取得し、取得した画像をホストサーバ２５に送信する。
【００３６】
表示部２３は液晶モニタからなり、カメラ２２により撮影される画像を表示する。
【００３７】
非接触通信部２４は、不図示のアンテナを備えており、ＩＤカード１と通信を行い、ＩＤカード１のメモリ６の保護領域６Ａに記憶されたＩＤ認証情報を読み出し、ホストサーバ２５へ送信する。また、カメラ２２が取得した画像をホストサーバ２５から取得してＩＤカード１のメモリ６の開放領域６Ｂに書き込む。
【００３８】
ホストサーバ３０は、多数の人物についての認証に必要な情報を記憶する記憶媒体を備え、認証装置２０が取得したＩＤ認証情報を用いて、ＩＤカード１の所持者の認証の処理を行う。また、制限区域への入場時に前述したようにＩＤカード１の所持者の撮影を行って、所持者の画像をＩＤカード１に書き込み、退出時には所持者の画像をＩＤカード１から削除するよう認証装置２０を制御する。
【００３９】
次いで、認証システムにおいて行われる処理について説明する。図５は認証システムにおいて行われる処理を示すフローチャートである。ＩＤカード１の所持者が制限区域へ入場する際に、ＩＤカード１を認証装置２０の非接触通信部２４に接触させることにより認証装置２０が処理を開始し、ＩＤカード１のメモリ６の保護領域６ＡからＩＤ認証情報を読み出し（ステップＳＴ１）、ホストサーバ３０に送信する（ステップＳＴ２）。また、カメラ２２が所持者の顔を撮影して所持者の画像を取得し（ステップＳＴ３）、ホストサーバ３０に送信する（ステップＳＴ４）。
【００４０】
ホストサーバ３０は、ＩＤ認証情報を用いて所持者の認証の処理を行い（ステップＳＴ５）、認証がＯＫであると、画像をＩＤカード１に書き込む指示を認証装置２０に行う（ステップＳＴ６）。認証装置２０は画像をＩＤカード１のメモリ６の開放領域６Ｂに書き込み（ステップＳＴ７）、処理を終了する。これにより、ＩＤカード１の表示部３には、図６に示すように開放領域６Ｂに記憶された所持者の顔の画像が表示される。
【００４１】
一方、認証がＮＧであると、ホストサーバ３０はその旨を認証装置２０に送信する（ステップＳＴ８）。認証装置２０は、例えば「認証できません」等の認証できなかった旨の表示を表示部２３に行い（ステップＳＴ９）、処理を終了する
なお、制限区域から退場する際には、ＩＤカード１の所持者がＩＤカード１を認証装置２０の非接触通信部２４に接触させると、ＩＤカード１のメモリ６の開放領域６Ｂから画像が削除される。これにより、ＩＤカード１の表示部３には何ら画像は表示されなくなる。なお、所持者の画像を削除するとともに、所持者の画像とは異なる画像をメモリ６の開放領域６Ｂに書き込むようにしてもよい。例えば、風景の画像をメモリ６の開放領域６Ｂに書き込んだ場合、図７に示すようにＩＤカード１の表示部３には風景の画像が表示される。
【００４２】
これにより、第１の実施形態においては、制限区域への入場する毎に所持者が撮影されて、所持者の画像がＩＤカード１の表示部３に表示される。このため、常に最新の画像をＩＤカード１の表示部３に表示することができる。また、所持者の髪型、服装および装飾品と、その所持者が所持するＩＤカード１に表示されている画像とが一致するため、セキュリティを向上させることもできる。
【００４３】
また、制限区域から退出すると、ＩＤカード１の表示部３には所持者の画像が表示されなくなるため、ＩＤカードをカードホルダに入れて身体に装着したままであっても、制限区域外の全く関係のない他人にＩＤカード１の所持者の画像が見られることがなくなる。また、画像が表示されたままのＩＤカード１を身体に装着して外出しても、画像が見られることがないため、所持者が恥ずかしい思いをすることもなくなる。
【００４４】
なお、上記第１の実施形態においては、ＩＤカード１の所持者が制限区域から退出する際に、開放領域６Ｂに書き込んだ画像を削除しているが、画像を削除しなくてもよい。この場合、ＩＤカード１の所持者が制限区域に再度入場する際に、開放領域６Ｂに記憶されている画像を削除して、再入場時の際に撮影により取得した画像を新たに開放領域６Ｂに書き込めばよい。
【００４５】
また、上記第１の実施形態においては、認証装置２０が撮影により取得した画像をそのままＩＤカード１のメモリ６の開放領域６Ｂに記憶しているが、ホストサーバ３０における認証時に、ＩＤ認証情報および／または現在の日時に基づいて、所持者の画像を加工してもよい。
【００４６】
これにより、例えば所持者の画像に、制限区域に入場した日の社員食堂のメニューや、入退室時間をテキストとして付与することができる。なお、入退室時間については、遅刻した場合にテキストの色を例えば赤色にして遅刻であることを知らせるようにすることもできる。
【００４７】
また、認証に使用するＩＤ認証情報により取得できる所持者の誕生日の情報から、所持者の星座に合わせたその日の占い結果を画像にテキストとして付与したり、認証日が所持者の誕生日であれば所持者の顔の部分に王冠を付与したり、「おめでとう」のテキストを付与したり、認証日が所持者の結婚記念日であれば指輪のイラストを画像に付与したり、所持者の入社日の情報に基づいて、入社日から３ヶ月間は画像に初心者マークを付与したりすることができる。
【００４８】
また、現在の日時がクリスマスである場合にはクリスマスにちなんだイラストを、現在の日時が４月１日である場合には冗談めかしたイラストを、現在の日時が会社の創立記念日の場合には「創立○○年」のテキストを画像に付与したりすることができる。
【００４９】
ここで、認証日が所持者の誕生日であった場合の加工の例を図８に示す。
【００５０】
なお、第１の実施形態によるＩＤカード１には、認証装置２０のみならず、所持者が取得した画像を表示することも可能である。例えば、パソコンに接続されたカメラ、カメラ付き携帯電話、およびデジタルカメラ等の撮影装置に非接触で通信を行うアンテナを設け、所持者が撮影装置を用いて撮影を行うことにより取得した画像（自身の顔の画像を含む）を、撮影装置からＩＤカード１に送信して、送信した画像をメモリ６の開放領域６Ｂに書き込むことができる。
【００５１】
この場合、セキュリティを確保するために、画像を送信する際にあらかじめ登録したパスワードの入力を行わせることが好ましい。なお、ＩＤカード１にユニークなＩＤを付与しておき、事前に撮影装置に登録したＩＤを有するＩＤカード１に対してのみ、画像の送信を許可するようにしてもよい。
【００５２】
次いで、本発明によるＩＤカードの第２の実施形態について説明する。図９は本発明の第２の実施形態によるＩＤカードの内部構成を示す平面図である。なお、第２の実施形態において第１の実施形態と同一の構成については同一の参照番号を付与し、ここでは詳細な説明は省略する。第２の実施形態によるＩＤカード１Ａは、ＩＤカードの上下左右の方向を検出する加速度センサからなる方向検出センサ１０を備えた点が第１の実施形態と異なる。
【００５３】
このように方向検出センサ１０を設けることにより、ＩＤカード１Ａの上下左右の向きを検出することができる。したがって、図１０に示すように、ＩＤカード１Ａの上下を間違えてカードホルダ４０に装着した場合であっても、表示部３に表示される画像の上下を正しいものとすることができる。また、図１１に示すように、ＩＤカード１Ａを横型のカードホルダ４１に装着した場合であっても、表示部３に表示される画像の上下を正しいものとすることができる。
【００５４】
また、第２の実施形態によるＩＤカード１Ａのメモリ６の開放領域６Ｂに画像やテキスト等の複数の情報を記憶しておき、ＩＤカード１Ａの上下左右の向きを変更する毎に表示部３に表示する情報を切り替えるようにしてもよい。例えば、メモリ６の開放領域６Ｂに４つの情報Ａ〜Ｄが記憶されている場合、図１２（ａ）〜（ｄ）に示すようにＩＤカード１Ａの上下左右の向きに応じて４つの情報Ａ〜Ｄを切り替えて表示するようにしてもよい。
【００５５】
また、所持者のまじめな顔の画像（フォーマル画像とする）およびふざけた顔の画像（カジュアル画像とする）の２つの画像をメモリ６の開放領域６Ｂに記憶しておき、第２の実施形態によるＩＤカード１Ａを、図１３（ａ）に示すように表示部３が上側となるように縦型のカードホルダ４０に装着した場合にはフォーマル画像を、図１３（ｂ）に示すように表示部３が下側となるように縦型のカードホルダ４０に装着した場合にはカジュアル画像を表示部３に表示するようにしてもよい。これにより、ＩＤカード１Ａの所持者は、ＩＤカード１Ａに表示する画像をＴＰＯに応じて切り替えることができる。
【００５６】
また、所持者の画像とメモ等の隠しておきたいテキストをメモリ６の開放領域６Ｂに記憶しておき、第２の実施形態によるＩＤカード１Ａを、図１４（ａ）に示すように表示部３が上側となるように縦型のカードホルダ４０に装着した場合には所持者の画像を、図１４（ｂ）に示すように、カードホルダ４０ごとＩＤカード１Ａの上下を反転させた場合にテキストを表示するようにしてもよい。これにより、他人には見せたくないメモを読みたい時にはカードホルダの上下を反転させれば、他人に知られることなくメモを読むことができる。
【００５７】
次いで、本発明によるＩＤカードの第３の実施形態について説明する。図１５は本発明の第３の実施形態によるＩＤカードの外部構成を示す平面図である。なお、第３の実施形態において第１の実施形態と同一の構成については同一の参照番号を付与し、ここでは詳細な説明は省略する。第３の実施形態によるＩＤカード１Ｂは、ＩＤカード１Ｂの表示部３の表示のオン・オフを行うための導通スイッチ１１を備えた点が第１の実施形態と異なる。
【００５８】
導通スイッチ１１は、２箇所の端子１１Ａ，１１Ｂを備え、端子１１Ａ，１１Ｂが電気的に接続されると表示部３の表示をオンとし、電気的接続が解除されると表示部３の表示をオフとするものである。
【００５９】
図１６は、第３の実施形態によるＩＤカード１Ｂを装着するためのカードホルダの構成を示す図である。図１６に示すようにこのカードホルダ５０は、ホルダ内部にＩＤカード１Ｂの導通スイッチ１１をオンとすべく、端子１１Ａおよび端子１１Ｂを電気的に接続するための導通端子５１を備える。
【００６０】
このため、第３の実施形態によるＩＤカード１Ｂをカードホルダ５０に装着していない状態においては、端子１１Ａと端子１１Ｂとは電気的に接続していないため、表示部３には何ら情報は表示されない。一方、第３の実施形態によるＩＤカード１Ｂをカードホルダ５０に装着すると、導通端子５１により端子１１Ａと端子１１Ｂとが電気的に接続されるため、図１７に示すようにＩＤカード１Ｂの表示部３にメモリ６の開放領域６Ｂに記憶された情報（ここでは画像）が表示される。
【００６１】
次いで、本発明によるＩＤカードの第４の実施形態について説明する。図１８は本発明の第４の実施形態によるＩＤカードの内部構成を示す平面図である。なお、第４の実施形態において第１の実施形態と同一の構成については同一の参照番号を付与し、ここでは詳細な説明は省略する。第４の実施形態によるＩＤカード１Ｃは、ＩＤカード１Ｃの表示部３の表示のオン・オフを行うためのスイッチ１２を備えた点が第１の実施形態と異なる。
【００６２】
スイッチ１２はメカニカルスイッチであり、圧迫されるとオンとなって表示部３の表示をオンとし、圧迫されていない状態においてはオフとされて表示部３の表示をオフとするものである。
【００６３】
図１９は、第４の実施形態によるＩＤカード１Ｃを装着するためのカードホルダの構成を示す図である。図１９に示すようにこのカードホルダ５３は、ホルダ内部にＩＤカード１Ｃのスイッチ１２をオンとすべく、スイッチ１２に対応する位置にホルダ内部に突出する凸形状の突出部５４を備える。
【００６４】
このため、第４の実施形態によるＩＤカード１Ｃをカードホルダ５３に装着していない状態においては、スイッチ１２は圧迫されていないため、表示部３には何ら情報は表示されない。一方、第４の実施形態によるＩＤカード１Ｃをカードホルダ５３に装着すると、突出部５４によりスイッチ１２が圧迫されるため、図２０に示すようにＩＤカード１Ｃの表示部３にメモリ６の開放領域６Ｂに記憶された情報（ここでは画像）が表示される。
【００６５】
なお、上記実施形態においては、本発明によるＩＤカードを社員証として用いているが、学生証、会員証および免許証等、ＩＤカードとしてであればどのような態様にて用いてもよい。
【００６６】
また、上記第２の実施形態においては、複数の情報をメモリ６の開放領域６Ｂに記憶した際に、ＩＤカード１Ａを回転させることにより、表示部３に表示される情報を切り替えているが、ＩＤカード１Ａに方向検出センサ１０に代えて切替スイッチを設け、切替スイッチを操作する毎に、表示部３に表示される情報を切り替えるようにしてもよい。
【図面の簡単な説明】
【００６７】
【図１】本発明の第１の実施形態によるＩＤカードの外部構成を示す平面図
【図２】本発明の第１の実施形態によるＩＤカードの内部構成を示す平面図
【図３】メモリの保護領域および開放領域を説明するための図
【図４】本実施形態による認証装置を用いた認証システムの概略図
【図５】本実施形態による認証システムにおいて行われる処理を示すフローチャート
【図６】所持者の顔の画像が表示部に表示された状態を示す図
【図７】風景の画像が表示部に表示された状態を示す図
【図８】現在の日時が所持者の誕生日であった場合の画像の加工の例を示す図
【図９】本発明の第２の実施形態によるＩＤカードの内部構成を示す平面図
【図１０】第２の実施形態においてＩＤカードの上下を反転させた状態を示す図
【図１１】第２の実施形態においてＩＤカードの横向きにした状態を示す図
【図１２】第２の実施形態においてＩＤカードを回転させた時の表示の状態を示す図
【図１３】第２の実施形態においてＩＤカードを上下反転してカードホルダに装着した時の表示の状態を示す図
【図１４】第２の実施形態においてＩＤカードをカードホルダに装着して上下反転した時の表示の状態を示す図
【図１５】本発明の第３の実施形態によるＩＤカードの外部構成を示す平面図
【図１６】本発明の第３の実施形態によるＩＤカードを装着するカードホルダを示す平面図
【図１７】本発明の第３の実施形態によるＩＤカードをカードホルダに装着した状態を示す平面図
【図１８】本発明の第４の実施形態によるＩＤカードの内部構成を示す平面図
【図１９】本発明の第４の実施形態によるＩＤカードを装着するカードホルダを示す平面図
【図２０】本発明の第４の実施形態によるＩＤカードをカードホルダに装着した状態を示す平面図
【符号の説明】
【００６８】
１，１Ａ，１Ｂ，１Ｃ    ＩＤカード
２    本体
３    表示部
４    太陽電池
５    二次電池
６    メモリ
６Ａ    保護領域
６Ｂ    開放領域
７    アンテナ
８    表示制御部
９    全体制御部
１０  方向検出センサ
１１  導通スイッチ
１２  スイッチ
２０  認証装置
２１  本体
２２  カメラ
２３  表示部
２４  非接触通信部
３０  ホストサーバ
４０，４１，５０，５３    カードホルダ
【図１】
2008217286.tif 000003
【図２】
2008217286.tif 000004
【図３】
2008217286.tif 000005
【図４】
2008217286.tif 000006
【図５】
2008217286.tif 000007
【図６】
2008217286.tif 000008
【図７】
2008217286.tif 000009
【図８】
2008217286.tif 000010
【図９】
2008217286.tif 000011
【図１０】
2008217286.tif 000012
【図１１】
2008217286.tif 000013
【図１２】
2008217286.tif 000014
【図１３】
2008217286.tif 000015
【図１４】
2008217286.tif 000016
【図１５】
2008217286.tif 000017
【図１６】
2008217286.tif 000018
【図１７】
2008217286.tif 000019
【図１８】
2008217286.tif 000020
【図１９】
2008217286.tif 000021
【図２０】
2008217286.tif 000022